(57)【要約】【課題】  捕獲対象者の胴体よりも、腕や脚部を挟むことで、刺股の小型軽量化と、操作性の向上及び構造上の信頼性を向上させた刺股の提供を目的とする。【解決手段】  筒状の支柱の一端に設けた湾曲状の固定アームと対をなし、常に閉じる方向に付勢されて、回動可能に設け湾曲状の可動アームとで、捕獲挟みを形成した。この捕獲挟みは前記可動アームを開いた状態に維持する可動停止手段と、この可動停止手段に連結して、前記固定アームと可動アームとの間に紐体を張設して、可動アーム用の作動手段とすることで刺股とした。  この刺股によれば、固定アームと可動アームに張設した紐体に、捕獲対象者の脚部などに押し当てると、可動停止手段が引っ張られて、解除され挟み込まれるものである。【選択図】図１
2007333367.tif 000002
【特許請求の範囲】
【請求項１】
筒状の支柱と、
この支柱の一端に設けた湾曲状の固定アームと、この固定アームと対をなし常に閉じる方向に付勢されて、回動可能な状態に設けた湾曲状の可動アームとを有する捕獲挟みと、
この捕獲挟みを形成する前記可動アームを開いた状態に維持する可動停止手段と、
この可動停止手段と連結して、前記固定アームと可動アームとの間に張設した紐体よりなり、前記可動アームを作動する作動手段とからなる刺股。
【請求項２】
筒状の支柱と、
この支柱の一端に設けられ、積重ね方向に並べると共に、互いに離間して配置した湾曲状よりなる１対の固定アームと、この固定アームと対をなし、常に閉じる方向に付勢されて、前記１対の固定アーム間に回動可能な状態に配設した湾曲状の可動アームとを有する捕獲挟みと、
この捕獲挟みを形成する可動アームを開いた状態に維持する可動停止手段と、
この可動停止手段と連結して、前記可動アームを作動する作動手段とからなる刺股。
【請求項３】
筒状の支柱と、
この支柱の一端に設けた湾曲状の固定アームと、この固定アームと対をなし常に閉じる方向に付勢されて、回動可能な状態に設けた湾曲状の可動アームとを有する捕獲挟みと、
この捕獲挟みを形成する前記可動アームを開いた状態に維持する可動停止手段と、
この可動停止手段と連結して、前記固定アームと可動アームとの間に張設したワイヤーよりなり、前記可動アームを作動する作動手段と、
この作動手段により作動した可動アームを閉じた状態に維持するロック手段と、
このロック手段に連結して前記支柱の筒体内を通る紐体を介して前記支柱の捕獲挟みを設けていない他端側から支柱の外側に露出させたロック解除手段とからなる刺股。
【請求項４】
筒状の支柱と、
この支柱の一端に設けた湾曲状の固定アームと、この固定アームと対をなし常に閉じる方向に付勢されて、回動可能な状態に設けた湾曲状の可動アームを有する捕獲挟みと、
この捕獲挟みを形成する前記固定アームに設けられ、その中間部に回動支点を有した棒体よりなり、この棒体は一方向に付勢されると共に、付勢方向側に設けたストッパーにより所定の位置に規制された第１の回転体と、この第１の回転体の前記棒体にその一端を当接すると共に、その中間部に回動支点を有する棒体よりなり、この棒体の両端を略同じ力で同一方向に付勢した第２の回転体とからなり、この第２の回転体の一部を前記可動アームに設けた突起に当接することで、前記可動アームを開いた状態に維持する可動停止手段と、
この可動停止手段を形成する前記第１の回転体に連結して、前記可動アーム間に張設した紐体よりなる可動アームの作動手段とからなる刺股。
【請求項５】
筒状の支柱と、
この支柱の一端に設けた湾曲状の固定アームと、この固定アームと対をなし常に閉じる方向に付勢されて、回動可能な状態に設けた湾曲状の可動アームとを有する捕獲挟みと、
この捕獲挟みを形成する前記可動アームを開いた状態に維持する可動停止手段と、
この可動停止手段と前記可動アームとの間に張設した紐体を体の一部に当接させることで、可動停止手段が解除されて前記可動アームが閉じるように作動する作動手段とからなる刺股。
【発明の詳細な説明】
【技術分野】
【０００１】  本発明は、その先端部に設けた捕獲挟みが、捕獲対象者から外れることなく、操作者が手を離しても、捕獲対象者の自由な動きを阻止するように改善した刺股に関する。
【背景技術】
【０００２】  刺股を形成するアームの一部が、可動するようにした従来例としては、筒状よりなる把持桿１の一端に、固定アーム２と可動アーム３とでＵ字状に形成し、このＵ字内の奥部に設けた可動解除ボタン８を、捕獲対象者に当接させることで、可動アーム３が作動する捕獲刺股がある。（例えば特許文献１参照）
【特許文献１】  実用新案登録第３１１５９６９号公報（第３頁、図１）
【発明の開示】
【発明が解決しようとする課題】
【０００３】  特許文献１に示す捕獲刺股は、捕獲対象者の上半身や両足を挟むことを想定しているために、刺股の先端であるＵ字部分が大型になって重くなり、非力な者や女性には取扱いが困難であった。
また、Ｕ字部分が大型であるために、壁側に捕獲対象者を追い詰めても、可動アームを作動させる可動解除ボタン８に、身体が当らなかったりボタンの側方に当ったりすると、可動アームが作動しないこともあって、信頼性に乏しかった。
そのために手動の停止解除手段１０も設けられているが、Ｕ字内に捕獲対象者を確保した状態で、片手で把持桿１を支持しながらもう片方の手で、停止解除手段１０を捜査することは非常に困難であった。
更に、大型の固定アームと可動アームとは、捕獲対象者が挟まれた状態で暴れると、ねじれが生じてアームが変形することが考えられ、この変形がラチェットギヤ４と爪５との噛み合せや、可動停止手段７に悪影響を与えることも考えられて、信頼性が低下する原因にもなっていた。
本発明は、このような欠点を解消するためになされたものであり、先端部を小型化するために、腕や脚をねらって挟んだ状態で捕獲すると共に、信頼性も高く腕力の弱い者にも使用できるようにした刺股の提供を目的とする。
【発明を解決するための手段】
【０００４】  上記不具合を解決するために、本発明は次のような構成としている。
請求項１に記載した刺股は、筒状の支柱の一端に設けた湾曲状の固定アームと対をなし、常に閉じる方向に付勢されて、回動可能に設けた湾曲状の可動アームとで、捕獲挟みを形成した。
この捕獲挟みは、前記可動アームを開いた状態に維持する可動停止手段と、この可動停止手段に連結して、前記固定アームと可動アームとの間に紐体を張設して、可動アーム用の作動手段とすることで刺股とした。
このような刺股によれば、固定アームと可動アーム間に張設した紐体に、捕獲対象者の脚部に当てると、可動停止手段が引張られて可動停止手段が解除され、脚部を挟み込むものである。
請求項２に記載した刺股は、請求項１に記載した捕獲挟みを形成する固定アームを、積重ね方向に並べると共に、互いに離間して配置した湾曲状よりなる１対の固定アームとした。この固定アームと対をなし、常に閉じる方向に付勢されて、前記１対の固定アーム間に回動可能な状態に配設した湾曲状の可動アームとで捕獲挟みとした。
このような刺股によれば、１対の固定アーム間に可動アームを移動させることで、捕獲対象者が暴れても各アームにねじれが生じることも少なく、ねじれによる信頼性の低下が解消されるものである。
請求項３に記載した刺股は、請求項１に記載した刺股に、作動した可動アームを閉じた状態に維持するロック手段と、このロック手段に関連して、前記支柱の筒体内を通る紐体を介して、支柱の他端側からその外側に、ロック解除手段を設けることで刺股とした。
このような刺股によれば、可動アームが閉じると同時にロック手段が作動して、可動アームの復帰を阻止すると共に、復帰させる時は支柱を支持した手元側で、ロック解除手段を引くことにより、容易に行えるものである。
請求項４に記載した刺股は、請求項１に記載した刺股の可動停止手段として、固定アームに設けられ、その中間部に回動支点を有する棒体を一方向に付勢すると共に、付勢方向に設けたストッパーにより所定の位置に規制した第１の回転体を設けた。この第１の回転体の前記棒体にその一端を当接すると共に、その中間部に回動支点を有する棒体よりなり、この棒体の両端を略同じ力で同一方向に付勢した第２の回転体を形成した。この第２の回転体の一部を前記可動アームに設けた突出片に当接することで、可動アームを開いた状態に維持する可動停止手段とした。
このような可動停止手段によれば、棒体よりなる回転体同士を外れ易く設定したことで、可動アームの作動を確実に行うことができるようになっただけでなく、従来例に示したように予備の可動アーム用作動装置が不要となるものである。
請求項５に記載した刺股は、請求項１に記載した可動アームの作動手段を、固定アーム側に設けた可動停止手段の一部と、可動アームとの間に紐体を張設することで、可動アームの作動手段とした。
このような作動手段によれば、捕獲挟みの奥部側に紐体を張設したことで、確実に捕獲者に当接させることが可能となり、可動アームを確実に作動させることができる。
【発明の効果】
【０００５】  本発明によれば、固定アームと可動アームとからなる捕獲挟みで、捕獲対象者を挟み付けることにより、以下の効果を得ることができた。
すなわち、捕獲挟みの奥部側に、可動アームの作動手段となる紐体を張設したことにより、広い範囲をカバーした状態で、捕獲対象者に作動手段を当接させることができるので、確実に可動アームを作動させることができる。
可動アームの可動停止手段として、棒体よりなる第１の回転体と第２の回転体とを組合せした構造を採用したことにより、可動アームの可動停止と作動とを確実に行うことができるようになった。
作動した可動アームを復帰させるのに、支持した支柱の手元側で紐を引くだけであるから、従来例のように鍵を用いる面倒な動作も無くて素早い対応が可能である。
固定アームを２枚重ね状に配設し、その間に可動アームを挟むように回動させたことにより、捕獲対象者が捕獲挟み内であばれても、それぞれのアームにねじれ等が生じないので、アームの変形により生じる各手段への悪影響がなく、信頼性の高い刺股であるなどの大きな効果を得ることができた。
【発明を実施するための最良の形態】
【０００６】  本発明について、図面を参照して説明する。図１は本発明の刺股を示す斜視図、図２は図１の一部を破断して示す分解斜視図である。
図１で示すように本発明の刺股１０は、支柱１２の一端に支持用の握り１６を設けると共に、支柱１２の他端側には、捕獲対象者を挟んで捕まえる捕獲挟み２０を設けている。
図２で示すように捕獲挟み２０は、固定アーム２１と可動アーム４１とからなり、この固定アームと可動アーム間には、図１の点線で示すように可動アーム４１を、図中の矢印で示す方向に回転させるための作動手段５５を設けている。
このような刺股１０は、握り１６と支柱１２の端部とを両方の手で支持して、捕獲対象者の腕や脚を、捕獲挟み２０内に設けた紐状の作動手段５５に当接させると、可動アーム４１が作動して挟み付けることができる。
また、握り１６の端部には、ワイヤー等の紐を介して輪が設けられており、この輪を引くことで可動アーム４１の挟み込みを解除するロック解除手段７０を設けている。
尚、このロック解除手段７０は、握り１６部分に設けたワイヤー付きの輪を引かない限り、締付状態の可動アーム４１を、ロック状態に維持する作用を持っている。すなわち、可動アーム４１に開く方向の力を加えても、このロック手段により可動アームの反転を阻止するものである。
このような刺股１０を構成する支柱１２と捕獲挟み２０、及び作動手段５５やロック解除手段７０等について、更に詳細に説明する。【０００７】  図３は図２で示した捕獲挟みを分解して示す斜視図、図４は図２で示した捕獲挟みの要部を示す一部分解斜視図である。図３を参照して捕獲挟みを形成する固定アーム２１と、可動アーム４１とについて説明する。
固定アーム２１は、アーム本体Ａ２２とアーム本体Ｂ３２との２枚からなる。アーム本体Ａ２２は、円柱突起よりなる回転軸２３を設けた板体の一部から、湾曲したアーム２４を延出すると共に、このアーム２４と対向する他端側には、前述した支柱１２に取付けるために孔２６付きの取付片２５を設けている。
アーム本体Ｂ３２は、アーム本体Ａ２２に設けた回転軸２３へ挿入する軸孔３３を設けた板体の一部から、アーム本体Ａ２２と同様に、湾曲したアーム３４を延出すると共に、このアーム３４と対向する他端側には、支柱１２に取付けるために孔３６付きの取付片３５を設けている。
また、アーム本体Ａのアーム２４には、可動アーム４１が回転した場合に、ストッパーとなる柱状突起２８を設けている。【０００８】  可動アーム４１は、アーム本体Ａ２２に設けた回転軸２３に取付けるための軸孔４３を設けた歯車４２と、この歯車の一端から延出して設けた湾曲状のアーム４４と、このアームの根本からアームとは逆方向に突出させた突出片４６とからなる。
この突出片４６に孔４７を設けて、可動アーム４１を常に閉じる方向に付勢させるためのワイヤーを、取付けることができるものであり詳細は後述する。
これらのアーム本体Ａ２２と可動アーム４１、及びアーム本体Ｂ３２を組立てるには、アーム本体Ａ２２に設けた回転軸２３に、可動アーム４１に設けた軸孔４３を挿入するが、可動アーム４１の両側には、可動アームの回転をなめらかにするためのスペーサ４０を取付けている。このスペーサ４０は磨耗が少なく滑りの良い材質であり、可動アーム４１と固定アーム２１との間隙を形成するものである。
更にこの状態からアーム本体Ｂ３２に設けた軸孔３３を挿入して、ねじ止めなどで固着し捕獲挟み２０の骨格を形成する。このように組合せした可動アーム４１は、常に閉じる方向に付勢されるが、この可動アームを開いた状態に設定する可動停止手段によって、捕獲対象者を挟めるようにする必要がある。これらの可動アーム４１の閉じる方向への付勢手段と、可動アームを開いた状態にする可動停止手段は、捕獲挟み２０内に配設されており、これについて説明する。【０００９】  捕獲挟み２０の内部構造について説明する。
図４で示すようにアーム本体Ａ２２には、スペーサ４０を介して可動アーム４１を取付ける。この可動アームの突出片４６には、可動アームを常に閉じる方向に付勢する付勢手段５０を取付ける。
付勢手段５０は、その中間部にばね５２を設けたワイヤー５１からなり、ワイヤーの一端を突出片４６に設けた孔４７に固着する。ワイヤーの他端側は、ばね５２が引っ張られた状態で、図示しないが支柱１２の中空内に固定している。
従って、このばね５２の作用によって可動アーム４１は、図中の矢印Ｆで示す方向に常に付勢されることで、可動アーム４１を図中の矢印Ａで示す方向に、閉じる力が付与される。
尚、可動アーム４１は開いた状態に設定することで、使用可能となるものであり、開いた状態を維持して可動アームの移動を阻止する可動停止手段６０について説明する。【００１０】  可動停止手段６０は、アーム本体Ａ２２に設けられ、一方向に付勢された回転体よりなる第１の回転体６１と、この第１の回転体を形成する棒体の一端に当接させた第２の回転体６６とを組合せしたものである。
第２の回転体６６も棒体よりなり、第１の回転体６１と当接させていない他端側を、可動アーム４１の突出片４６と当接させることで、可動アーム４１を開いた状態に設定している。このような第１の回転体６１と第２の回転体６６とについて、更に詳細に説明する。
図５は図４で示した可動停止手段の詳細説明図である。可動停止手段を形成する第１の回転体６１は図５で示すように、その中間部に回転支点６３を設けた略直線状の回転体６２と、この回転体の一端に回転体６２を一方向に付勢する付勢ばね６４と、この付勢ばねの付勢方向に設けられて、回転体６２と当接する突起状のストッパ−６５とからなる。
付勢ばね６４を設けていない回転体６２の他端側は、第２の回転体６６に当接するものであり、この第２の回転体６６について説明する。
第２の回転体６６は、その中間部に回転支点６７を設けた棒状の回転体６８と、この回転体６８の両体のそれぞれに、回転体６８を同一方向に付勢する１対のばね６９をＶ字状に配設することで、回転体６８が回転した場合に、元の状態に戻りやすくしたものである。
上述した第１の回転体６１を形成する回転体６２と、第２の回転体６６を形成する回転体６８とは、互いにＬ字状に配設すると共に、回転体同士が当接していない回転体６８の他端側は、可動アーム４１に設けた突出片４６に当接させることで可動停止手段６０としている。
すなわち、常に閉じる方向に付勢された可動アーム４１の突出片４６に、可動停止手段６０である第２の回転体６６の一端を当接させることで、可動アーム４１の回転方向の移動を阻止している。【００１１】  可動停止手段６０によって、開いた状態を維持する可動アーム４１を、閉じるように回転移動させる作動手段５５と、必要に応じて可動アームを開いた状態に復帰させるロック解除手段７０とについて、図面を参照して説明する。図６は可動アームの作動手段と、ロック解除手段との要部を示す説明図である。
図６で示すように作動手段５５は、可動停止手段６０を形成する回転体６２の付勢ばね６４側と、図３で示すように可動アーム４１に設けた孔４８との間で、一直線状に張設したワイヤー５６よりなる。このワイヤーは開いた状態の捕獲挟み２０の奥部側に配設されると共に、チューブ５７で被覆している。
このような形成により、捕獲対象者がワイヤー５６に当接すると、ワイヤーが湾曲した状態になり、付勢ばね６４の付勢力に抗して、回転体６２が移動することで、可動停止手段６０が解除され、可動アームが作動する。
図６で示すようにロック解除手段７０は、可動アーム４１に設けた歯車４２と噛合う小突起７２を設けた第３の回転体７１と、この回転体を一方向に付勢するばね７５と、このばねの付勢方向とは反対の方向に引くためのワイヤー７６とからなる。
第３の回転体７１の一端は回転支点７３となし、他端側に付勢用のばね７５を取付けると共に、棒体の中間部に、小突起７２を設けて歯車４２と嵌合させている。尚、歯車４２と小突起７２との関係は、可動アーム４１が締付ける方向に移動する場合は、互いに噛合うことなく歯車４２が回転し、可動アーム４１が開いた状態に復帰する方向の移動に対して噛合うように形成している。
このような第３の回転体７１と付勢ばね７５とは、略直交する方向に配置すると共に、付勢ばね７５の反対方向に設けたワイヤー７６は、支柱１２の筒体内を通って、支柱１２の端部に設けた握り１６から突出させるものであり、図７を参照して説明する。図７はロック解除手段の操作部を示す説明図である。
捕獲挟み２０は、支柱１２の一端に設けた取付孔１５を利用して両者を固着する。
図７で示すようにロック解除手段７０の操作部は、握り１６の端部からワイヤー７６を突出させると共に、このワイヤーの先端部には輪形７８を設けている。
このように形成したロック解除手段７０は、可動アーム４１が締付方向に作動すると、前述したように第３の回転体７１に設けた小突起７２が、歯車４２と噛合うことなく、滑りながら可動アームを回転移動させる。但し可動アームが復帰する方向に移動させると、両者は互いに噛合って、可動アーム４１の移動を阻止するロック装置として作用する。従って、挟み込んだ捕獲者を、離すことなく挟み続けることができる。【００１２】  このように構成した刺股１０の使用例と、その作用について図面を参照して説明する。図８は捕獲挟みの作用説明図、図９は図８のロック解除手段の作用説明図である。
刺股１０を使用するには、可動アーム４１を開いた状態に設定すると共に、支柱１２の端部と握り１６を支持し、捕獲挟み２０で捕獲対象者の主に脚部を挟み込むものである。
捕獲挟み２０の奥部に設けた作動手段５５に、脚部が当接すると図８の矢印Ａで示すように、作動手段５５としてのワイヤー５６がたるんだ状態に湾曲して、可動停止手段６０としての第１の回転体６１が、図中の矢印Ｂ方向に回転移動して、第２の回転体６６から外れる。
第２の回転体６６は図５で示したように、ばねとＶ字状に配設して、棒状の回転体６８を、水平状態に保っているだけであり、弱い力で回転方向に移動させることができる。
この回転体６８の一端は、常に閉じる方向に付勢された可動アーム４１の突出片４６に当接しているが、可動アームを閉じる強い力には対抗することができずに、可動アーム４１は図中の矢印Ｃで示す閉じる方向に、また第２の回転体６６も図中の矢印Ｄで示す方向に、簡単に動くことになる。
可動アーム４１と一体化された歯車４２には、第３の回転体７１に設けられた小突起７２が噛合っているが、可動アームの閉じる方向の回転に対しては、前述したように、回転を止める作用を持たせていないので、歯車４２も図中の矢印で示すＣ方向に、可動アームと共に回転移動して図９で示す状態になる。
但し、小突起７２は可動アーム４１の開く方向に対して、噛合うことができるので可動アーム４１が閉じると、図９で示すように可動アームのロック機構として作用する。従って、１度挟んだ捕獲者を逃がすようなことは全く生じさせない構造である。【００１３】  挟み込んだ捕獲者を開放するには、ロック機構を解除する必要がある。このロック解除手段７０の作用について説明する。
閉じた可動アーム４１を開くには、図７で示した輪形７８を引くと、図９で示すワイヤー７６が、図中の矢印Ｅで示す方向に移動する。この移動は第３の回転体７１を、図中の実線で示す位置から点線で示す位置に回転移動させるので、小突起７２が歯車から離れてストップ機構が解除される。
このストップ機構が解除された状態で、輪形４８を掛止などにより支持させると共に、可動アーム４１を図中の矢印Ｆで示す方向に手で動かすと、可動アームを開いた状態に戻すことができる。
可動アーム４１が開いた状態に戻ることは、突出片４６が第２の回転体６６を乗り越えて、両者が掛止した状態に戻ると共に、作動手段５５としてのワイヤー５６も、図６で示したように一直線状に張設される。ワイヤー５６が一直線状になると、第１の回転体６１も元の位置に戻って、回転体６２と回転体６８とは、図５で示したように互いに当接して、可動停止手段６０として復帰し、可動アームの開いた状態を維持することになる。【００１４】  本発明の刺股１０は、捕獲対象者の脚を挟むことで、捕獲挟み２０を小型化して軽量化に配慮しているが、そのほかに捕獲挟み２０自体や支柱１２なども、アルミ材を用いることで軽量化に対応している。
但し、可動アーム４１に一体化した歯車４２部分がアルミ材であると、磨耗の恐れがあって信頼性が低下するために、歯車部分を鉄材で対応しており、この構造について図面を参照して説明する。図１０はアーム４１の歯車部分を分解して示す説明図である。
図１０で示すようにアルミ材よりなる可動アーム４１に、鉄材よりなる歯車を圧入するようにしている。鉄材の歯車は、その両端に突出部を設けて湾曲した帯体よりなり、その外側に歯車を形成した嵌合歯車４９よりなる。
可動アーム４１側には、嵌合歯車４９を圧入する同形の切欠４８を設けており、両者は嵌合により一体化される。このような歯車部分を鉄材にして、図９で示した第３の回転体７１も鉄材にすることにより、磨耗も少なく信頼性の高い刺股が得られる。【００１５】  この刺股１０は、捕獲挟み２０を常に開いた状態に設定しておくことにより、いつでもすぐに使用できる。捕獲対象者の腕や脚部に、捕獲挟み２０を押し当てるだけで、可動アーム４１が作動するから、簡単に捕獲できるだけでなく、軽量化した刺股であるから、誰にでも使用できるものである。
この刺股１０は、図３で示したようにアーム２４に柱状突起２８を設けており、この柱状突起２８は、可動アームの回転を止めると共に、挟んだ状態になっても多少の間隔ができるように設定している。
また、脚を挟んだ状態で、支柱１２を動かすことによって、捕獲対象者の脚に痛みを与えることができるので、反撃されることを防止することもできる。脚を挟んだ支柱を、左右方向や回転方向など、どのように動かしても捕獲対象者に痛みを与えることができるのは、円弧状のアーム同士で挟んだ理由による。
挟んだ状態で操作者が刺股から手を離しても、細長い刺股を付けた状態では逃げることが困難であるばかりでなく、この刺股の取扱いを理解していても、握り１６先端のロック解除手段７０に手が届かないので、可動アームを解除して逃げることは不可能である。
【図面の簡単な説明】
【００１６】
【図１】    本発明の刺股を示す斜視図である。
【図２】    図１の一部を破断して示す分解斜視図である。
【図３】    図２で示した捕獲挟みを分解して示す斜視図である。
【図４】    図２で示した捕獲挟みの要部を示す一部分解斜視図である。
【図５】    図４で示した可動停止手段の詳細説明図である。
【図６】    可動アームの作動手段とロック解除手段の要部を示す説明図である。
【図７】    ロック解除手段の操作部を示す説明図である。
【図８】    図６で示した捕獲挟みの作用説明図である。
【図９】    図８で示したロック解除手段の作用説明図である。
【図１０】    可動アームの歯車部分を分解して示す説明図である。
【符号の説明】
【００１７】１０  刺股
１２  支柱
１６  握り
２０  捕獲挟み
２１  固定アーム
４１  可動アーム
４２  歯車
５０  付勢手段
５５  作動手段
６０  可動停止手段
６１  第１の回転体
６６  第２の回転体
７０  ロック解除手段
７１  第３の回転体
【図１】
2007333367.tif 000003
【図２】
2007333367.tif 000004
【図３】
2007333367.tif 000005
【図４】
2007333367.tif 000006
【図５】
2007333367.tif 000007
【図６】
2007333367.tif 000008
【図７】
2007333367.tif 000009
【図８】
2007333367.tif 000010
【図９】
2007333367.tif 000011
【図１０】
2007333367.tif 000012